(57)【要約】【課題】銃等のフラッシュライト装置は、左右別々に機能の異なるスイッチを設けると、合計４つのスイッチに対応する点灯回路が必要になり非常に複雑な構成を持つ装置になり製造や保守が面倒となる課題があった。【解決手段】発光体８を点灯可能なバッテリー９と、１つのメインスイッチ１０をＯＮ状態としたときに閉回路となって発光体８が点灯する回路とを有し、メインスイッチ１０のＯＮ状態が操作時のみである一時点灯スイッチ４，５と、メインスイッチ１０のＯＮ状態が作動後持続する持続点灯スイッチ６、７とをそれぞれ左側と右側に設けるとともに、メインスイッチ１０が、左右それぞれの一時点灯スイッチ４，５又は左右のそれぞれの持続点灯スイッチ６，７のいずれか一つの作動によってＯＮ状態又はＯＦＦ状態となる銃等に取り付けられるフラッシュライト装置により解決する。【選択図】  図１
2007299685.tif 000002
【特許請求の範囲】
【請求項１】
フラッシュライトを点灯可能なバッテリーと、１つのメインスイッチをＯＮ状態としたときに閉回路となってフラッシュライトが点灯する回路とを有し、メインスイッチのＯＮ状態が操作時のみである一時点灯スイッチと、メインスイッチのＯＮ状態が作動後持続する持続点灯スイッチとをそれぞれ左側と右側に設け、
メインスイッチ、左右のプッシュスイッチ及び左右のスライドスイッチは、蓋体、ガイドプレート及びスイッチングバーとの組み合わせによってスイッチユニットとして構成され、
メインスイッチは、回路を閉回路と為し得る被押圧部を有し、
左右のプッシュスイッチは、それぞれ付設されるリターンスプリングの付勢力に抗する押圧によりスイッチングバーを介してメインスイッチの被押圧部を押圧して回路を閉鎖しメインスイッチをＯＮ状態とし、押圧を停止することによりリターンスプリングの付勢力によって元の状態に戻り回路の接点が離れメインスイッチをＯＦＦ状態にし、
左右のスライドスイッチは、それぞれ一方向にスライドさせた状態を維持することにより、スイッチングバーを移動させメインスイッチを持続的なＯＮ状態とし、スライドスイッチを元の状態に戻すことによってメインスイッチをＯＦＦ状態とすることを特徴とするフラッシュライト装置。
【発明の詳細な説明】
【技術分野】
【０００１】
この発明は、銃等に取り付けられるフラッシュライト装置に関する。
【背景技術】
【０００２】
銃等に取り付けるフラッシュライトは、射手が右利きと左利きによって、それぞれ使用しやすいようにスイッチを銃の右側あるいは左側に設けられることが望ましい。
【０００３】
そして、フラッシュライトのスイッチの種類は、フラッシュライトのスイッチを作動させるとその状態のままでは点灯状態を維持するスイッチ（持続点灯スイッチ）と、指で触れている時あるいは押している状態時のみ点灯するスイッチ（一時点灯スイッチ）の両方の機能を持っていることが好ましい。
【発明の開示】
【発明が解決しようとする課題】
【０００４】
しかし、フラッシュライト本体に左右別々に上記のような機能の異なるスイッチを設けると、合計４つのスイッチに対応するそれぞれの点灯回路が必要になってしまい、非常に複雑な構成を持つ装置になってしまい製造や保守が面倒となる課題があった。
【課題を解決するための手段】
【０００５】
上記課題を解決するため、フラッシュライトを点灯可能なバッテリーと、１つのメインスイッチをＯＮ状態としたときに閉回路となってフラッシュライトが点灯する回路とを有し、メインスイッチのＯＮ状態が操作時のみである一時点灯スイッチと、メインスイッチのＯＮ状態が作動後持続する持続点灯スイッチとをそれぞれ左側と右側に設け、
メインスイッチ、左右のプッシュスイッチ及び左右のスライドスイッチは、蓋体、ガイドプレート及びスイッチングバーとの組み合わせによってスイッチユニットとして構成され、
メインスイッチは、回路を閉回路と為し得る被押圧部を有し、
左右のプッシュスイッチは、それぞれ付設されるリターンスプリングの付勢力に抗する押圧によりスイッチングバーを介してメインスイッチの被押圧部を押圧して回路を閉鎖しメインスイッチをＯＮ状態とし、押圧を停止することによりリターンスプリングの付勢力によって元の状態に戻り回路の接点が離れメインスイッチをＯＦＦ状態にし、
左右のスライドスイッチは、それぞれ一方向にスライドさせた状態を維持することにより、スイッチングバーを移動させメインスイッチを持続的なＯＮ状態とし、スライドスイッチを元の状態に戻すことによってメインスイッチをＯＦＦ状態とすることを特徴とするフラッシュライト装置を提案する。
【発明の効果】
【０００６】
この発明によれば、左右にそれぞれスイッチが配設されるとともに、それぞれが一時点灯機能と持続点灯機能とを有するがメインスイッチと回路を１つとして共有することにより部品数が少なく非常に簡易な構成であるフラッシュライト装置を提供することが可能となった。
【０００７】
そのため、従来右利き用、左利き用で異なる構造のフラッシュライト装置が必要であったが、１つで左右の兼用ができるとともに、１つの回路によってそれぞれが一時点灯機能と持続点灯機能とを有するフラッシュライト装置であるため、製造、取付、使用、保守などの作業が容易であるという効果がある。
【発明を実施するための最良の形態】
【０００８】
この発明の実施形態である銃等に取り付けられるフラッシュライト装置に関する図１乃至図２８に基づいて説明する。図１はフラッシュライト装置の斜視図、図２は同じ蓋体を開いた状態でバッテリーの出し入れを示す斜視図、図３はフラッシュライト装置をエアガンに取り付けた状態の正面図、図４及び図５は、フラッシュライト装置のスイッチユニットの水平横断面を示し図４は組み立て図、図５は分解図である。図６乃至図８は図１のＡＡ線断面でありフラッシュライト装置の一時点灯スイッチであるプッシュスイッチの作動の説明図であり、図６は左右両方のプッシュスイッチがＯＦＦ状態のフラッシュライト装置の横断面図、図７は左側のプッシュスイッチがＯＮ状態のフラッシュライト装置の横断面図、図８は左側のプッシュスイッチがＯＮ状態の一部拡大断面図である。図９乃至図１４は、フラッシュライト装置の持続点灯スイッチであるスライドスイッチの作動の説明図であり、図９は左右両方のスライドスイッチがＯＦＦ状態のフラッシュライト装置の後面図、図１０は同じく図９のＢＢ線断面である一部拡大断面図、図１１は同じく図９のＣＣ線断面であるフラッシュライト装置の縦断面図、図１２は右側のスライドスイッチがＯＮ状態のフラッシュライト装置の後面図、図１３は同じく図１２のＤＤ線断面である一部拡大断面図、図１４は同じく図１２のＥＥ線断面であるフラッシュライト装置の縦断面図である。図１５乃至図１７は、フラッシュライト装置の蓋体（後蓋）を示し、図１５は前方から見た図、図１６は図１５のＦＦ線断面図、図１７は後方から見た図である。図１８及び図１９は、左スライドスイッチを示し、図１８は平面図、図１９は前方から見た図である。図２０及び図２１は左側ガイドプレートであり、図２０は前方から見た図、図２１は後方から見た図である。図２２、図２３及び図２４はフラッシュライト装置のスイッチングバーを示し、図２２は前方から見た図、図２３は後方から見た図、図２４は図２２のＧＧ線断面図である。図２５及び図２６はメインスイッチを示し図２５は後方から見た図、図２６は側面図である。図２７はフラッシュライト装置の回路模式図、図２８は同じく回路図を示す。
【０００９】
次に、この発明の実施形態である銃等ＡＧに取り付けられるフラッシュライト装置ＦＬについて説明する。この発明の実施形態であるフラッシュライト装置ＦＬは、図３に示すように銃等ＡＧの銃筒の下部に本体１の上部にある取付部２９によって取り付けられ、右利きの人若しくは左利きの人は、それぞれ一時点灯スイッチ４若しくは５（この実施形態ではプッシュスイッチ４、５）と、持続点灯スイッチ６若しくは７（この実施形態ではスライドスイッチ６、７）を使用する。
【００１０】
フラッシュライト装置ＦＬは、図１及び図２に示すように本体（ボディ）１の前側にフラッシュライト等の発光体８を備えたライト部２を設け、後側に蓋体である後蓋３を開閉自在に設けている。後蓋３は、図４及び図５に示すスイッチユニットＳＵの一部となり後蓋開閉軸２８を中心に本体１に対して上方に回動してバッテリー室の挿入口を開閉して図２に示すように２個のバッテリーを出し入れ可能である。２７は、後蓋３を閉鎖したとき本体１と固定する後蓋固定ネジであり、後蓋３の下部にある固定孔３０に挿入螺合して閉鎖固定する。
【００１１】
フラッシュライト装置ＦＬは、ライト部２の中に設けられる発光体８を点灯可能なバッテリー９と、１つのメインスイッチ１０をＯＮ状態としたときに閉回路となり発光体８が点灯する回路とを有し、メインスイッチ１０のＯＮ状態が操作時のみである一時点灯スイッチ、この実施形態では左右のプッシュスイッチ４、５と、メインスイッチ１０のＯＮ状態が作動後持続する持続点灯スイッチ、この実施形態では左右のスライドスイッチ６，７とをそれぞれ設けている。
【００１２】
メインスイッチ１０、左右のプッシュスイッチ４、５及び左右のスライドスイッチ６，７、後蓋（蓋体）３、ガイドプレート１５、１６及びスイッチングバー１２は、図４及び図５に示すように互いに組み合わせてスイッチユニットＳＵを構成している。
【００１３】
メインスイッチ１０は、図２４、図２５に示すように略正方形の板状体１０ｂに設けられる被押圧部１０ａを有し、被押圧部１０ａは後方から押圧されることにより板状体１０ｂ内の回路の接点を押圧して回路を閉回路にし、押圧力が除かれると接点が開放され回路は開回路となる。メインスイッチ１０は、メインスイッチボード１１の後面側中央に設けられメインスイッチボード１１の前面側左右に２つ設けられたコイル状接点２５、２６によってそれぞれのバッテリー９のプラス及びマイナスの接点と接続しており、回路の一部を構成している。
【００１４】
次に左右のプッシュスイッチ４、５についてそれぞれ説明する。それぞれのプッシュスイッチ４、５は、頭部が大きな膨大部からなっておりその外端面を押圧面４ａ、５ａとしている。それぞれのプッシュスイッチ４、５の押圧面４ａ、５ａと逆側の端面に開口する固定凹部 ４ｂ、５ｂを設けている。
【００１５】
左プッシュスイッチ４は、左スライドスイッチ６に穿設される第１左プッシュスイッチ貫通孔６ａ及び後蓋３に穿設される第２左プッシュスイッチ貫通孔３ｂ及び左ガイドプレート１５に穿設される第３左プッシュスイッチ貫通孔１５ａをそれぞれ貫通し、その先端で左スイッチキャップ１３の凹部１３ａと嵌合するとともに、左スイッチキャップ１３の凸部１３ｂ側開口部から挿入される左プッシュスイッチ固定用ネジ１９を固定凹部４ｂに挿入し螺合する。このとき左プッシュスイッチ４の膨大部の前側内面と左ガイドプレート１５の面との間に左リターンスプリング１７を設けており、左リターンスプリング１７は力が作用されていない状態で、左プッシュスイッチ４の押圧面４ａが左スライドスイッチ６の後端面と同一面となるように位置させる。
【００１６】
右プッシュスイッチ５は、右スライドスイッチ７に穿設される第１右プッシュスイッチ貫通孔７ａ及び後蓋３に穿設される第２右プッシュスイッチ貫通孔３ｃ及び右ガイドプレート１６に穿設される第３右プッシュスイッチ貫通孔１６ａをそれぞれ貫通し、その先端で右スイッチキャップ１４の凹部１４ａと嵌合するとともに、右スイッチキャップ１４の凸部１４ｂ側開口部から挿入される右プッシュスイッチ固定用ネジ２０を固定凹部５ｂに挿入し螺合する。このとき右プッシュスイッチ５の膨大部の前側内面と右ガイドプレート１６の面との間に右リターンスプリング１８を設けており、右リターンスプリング１８は力が作用されていない状態で、右プッシュスイッチ５の押圧面５ａが右スライドスイッチ７の後端面と同一面となるように位置させる。
【００１７】
左右のスイッチキャップ１３、１４は、それぞれ左右のプッシュスイッチ固定用ネジ１９，２０と左右のプッシュスイッチ４，５との螺合によって固定された状態では、それぞれ左右のスイッチキャップ１３，１４の凸部１３ｂ、１４ｂはスイッチングバー１２の左右の係止孔１２ｂ、１２ｃに緩やかに挿入された状態である。
【００１８】
左右のスライドスイッチ６，７は、それぞれ後蓋３に独立的に上下方向にスライド可能に嵌合している。左スライドスイッチ６は、第１左プッシュスイッチ貫通孔６ａと左スライドスイッチ固定ネジボス６ｂを設けている。左スライドスイッチ固定ネジボス６ｂは、前方側が開口される雌ネジ孔を有する筒状突起であり、その筒状突起は後蓋３の左スライドスイッチ固定ネジボス用孔３ｄを貫通して左ガイドプレート１５の後面に当接した状態で、左スライドスイッチ固定ネジ２１を左ガイドプレート１５の前方から左スライドスイッチ固定ネジ孔１５ｂを貫通させて左スライドスイッチ固定ネジボス６ｂの雌ネジと螺合する。６ｃはスライド用ガイド溝であり前面左右に縦方向に設け、後蓋３の後面に縦方向に突起するスライド用ガイド突起３ｈにスライド可能に係合している。
【００１９】
右スライドスイッチ７は、第１右プッシュスイッチ貫通孔７ａと右スライドスイッチ固定ネジボス７ｂを設けている。右スライドスイッチ固定ネジボス７ｂは、前方側が開口される雌ネジ孔を有する筒状突起であり、その筒状突起は後蓋３の右スライドスイッチ固定ネジボス用孔３ｅを貫通して右ガイドプレート１６の後面に当接した状態で、右スライドスイッチ固定ネジ２２を右ガイドプレート１６の前方から右スライドスイッチ固定ネジ孔１６ｂを貫通させて右スライドスイッチ固定ネジボス７ｂの雌ネジと螺合する。なお図示しないが右スライドスイッチ７も左スライドスイッチ６と同じく前面左右にスライド用ガイド溝を縦方向に設けており後蓋３の後面に縦方向に突起するスライド用ガイド突起３ｈにスライド可能に係合している。
【００２０】
後蓋３は、図４、図５、図１５、図１６及び図１７に示される形状をしており、上部に後蓋開閉軸２８，下部に固定孔３０を設けており、水平方向に後方から見て左から第２左プッシュスイッチ貫通孔３ｂ、左スライドスイッチ固定ネジボス用孔３ｄ、右スライドスイッチ固定ネジボス用孔３ｅ、第２右プッシュスイッチ貫通孔３ｃという４つの孔を設けている。それぞれ４つの孔は、垂直方向に縦長の長円であり、それぞれ貫通する左プッシュスイッチ４、左スライドスイッチ固定ネジボス用孔６ｂ、右スライドスイッチ固定ネジボス用孔７ｂ、右プッシュスイッチ５は縦方向に移動できる。後面に左右縦方向に４つのスライド用ガイド突起３ｈを設けており、それぞれ左スライドスイッチ６に対応するスライド用ガイド突起３ｈ２つは、第２左プッシュスイッチ貫通孔３ｂ、左スライドスイッチ固定ネジボス用孔３ｄの左右両外側に平行に設けられ、同様に右スライドスイッチ７に対応するスライド用ガイド突起３ｈ２つは、第２右プッシュスイッチ貫通孔３ｃ、右スライドスイッチ固定ネジボス用孔３ｅの左右両外側に平行に設けられている。
【００２１】
後蓋３の前面側の左右の中央位置に縦方向に左右分離突起３ａを設けており、左右分離突起３ａは縦方向の中間に前方に突出した段差部３ｘを有し、段差部３ｘの突起状角部分を削って傾斜面３ｙを形成している。
【００２２】
左右のガイドプレート１５、１６は、代表して左ガイドプレート１５を図２０及び図２１に示すが、右ガイドプレート１６は、後蓋３の左右分離突起３ａを中心に左右対称の形状になる。左ガイドプレート１５は、外方側に第３左プッシュスイッチ貫通孔１５ａ、内方側に左スライドスイッチ固定ネジ孔１５ｂを穿設しており、第３左プッシュスイッチ貫通孔１５ａは、左プッシュスイッチ４の回動防止のため、左プッシュスイッチ４の左右に縦長に突起した縦突起の形状に対応するように左右に溝部を設けている。
【００２３】
スイッチングバー１２ｈ、図２２及び図２３に示されるように、左右に左右のスイッチキャップ凸部１３ｂ、１４ｂを緩やかに挿入する係止孔１２ｂ、１２ｃを設けており、前面の左右中央位置に前方へ突起する凸部１２ａを設けており、後面には下辺に渡って厚さが薄くなるような斜面からなるスイッチングバー斜面部１２ｄを設けてなる。
【００２４】
上述した左右のプッシュスイッチ４、５及び左右のスライドスイッチ６，７、後蓋（蓋体）３、及びガイドプレート１５、１６は、左右のプッシュスイッチ固定ネジ１９，２０及び左右のスライドスイッチ固定ネジ２１、２２によって組み合わされ固定される。更にスイッチングバー１２と、メインスイッチ１０，メインスイッチボード１１は順次後蓋３内に組み合わせて、後蓋３を後蓋開閉軸２８を中心に回動させ固定ネジ２７を固定孔３０に挿入して後蓋３を閉鎖することによってスイッチングバー１２が左右のスイッチキャップ１３、１４の段差面にて抑えられ固定される。このときメインスイッチ１０の被押圧面１０ａはスイッチングバー１２の凸部１２ａと接触するが押圧されてはいない。この構成は図５に示すような各部品を図４に示すように互いに組み合わせてスイッチユニットＳＵを構成する。
【００２５】
次に、この発明の実施形態である銃等ＡＧに取り付けられるフラッシュライト装置ＦＬの作動について説明する。
【００２６】
左右のプッシュスイッチ４、５は、同じ動きでそれぞれ独立した１つが押圧されるとメインスイッチ１０がＯＮ状態になり回路が閉回路となり発光体８が点灯する。したがって代表して左プッシュスイッチ４の作動を説明する。左プッシュスイッチ４の押圧面４ａは、左スライドスイッチ６の後面と同じ面にあり、何の作用をしない図６の状態ではメインスイッチ１０の接点は開放されたＯＦＦ状態であり回路は開放状態（ＯＦＦ状態）であり発光体８は消えている。
【００２７】
次に図７及び図８に示すように左プッシュスイッチ４を指等で押すとプッシュスイッチ４は左リターンスプリング１７の付勢力に抗して押し込まれ左スイッチキャップ１３を介してスイッチングバー１２を押し、スイッチングバー１２の凸部１２ａがメインスイッチ１０の被押圧部１０ａを押し込むことによって、メインスイッチ１０内の接点が接触してＯＮ状態となり回路は閉回路となり発光体８は点灯する。この左プッシュスイッチ４を押圧力を止めると左プッシュスイッチ４は、左リターンスプリング１７の後方への付勢力により元の状態に戻り、メインスイッチ１０がＯＦＦ状態となり、発光体８は消灯する。
【００２８】
次に図９乃至図１４にしたがって右スライドスイッチ７をスライドさせ発光体８を点灯させる作動を説明する。左スライドスイッチ６の作動も同様である。右スライドスイッチ７が、図９乃至図１１に示すように通常の状態であるとメインスイッチ１０の接点は開放されたＯＦＦ状態であり回路は開放状態（ＯＦＦ状態）であり発光体８は消えた状態である。
【００２９】
次に図１２乃図１４に示すように右スライドスイッチ７を下方にスライドさせる。このスライド後は使用者が手を離しても戻らず、上方に戻すには再度上方へ移動される必要がある。右スライドスイッチ７を下方にスライドさせると右プッシュスイッチ５は第２右プッシュスイッチ貫通孔３ｃ内で下方へ移動し、右スライドスイッチ固定ボス７ｂは右スライドスイッチ固定ネジボス用孔３ｅ内で下方へ移動する。この移動により右スイッチキャップ１４の凸部１４ｂが、スイッチングバー１２の右係止孔１２ｃを介してスイッチングバー１２を左スイッチキャップの凸部１３ｂを軸として右側のみ下方へ下げる。するとスイッチングバー１２のスイッチングバー斜面部１２ｄが、左右分離突起３ａの段差部３ｘの傾斜面３ｙに乗り上げる。この傾斜面３ｙへの乗り上げによってスイッチングバー１２が前方に押された状態になり、スイッチングバー１２の凸部１２ａがメインスイッチ１０の被押圧部１０ａを押し込む。この状態によりメインスイッチ１０内の接点が接触してＯＮ状態となり回路は閉回路となり発光体８は点灯し、右スライドスイッチ７が下方に位置する状態では発光体８の点灯は持続する。
【００３０】
この右スライドスイッチ７を下方位置から上方位置へ戻すことによってスイッチングバー１２も元の状態に戻り、メインスイッチ１０の接点は開放されＯＦＦ状態であり回路は開放状態（ＯＦＦ状態）となり発光体８は消える。
【産業上の利用可能性】
【００３１】
この発明のフラッシュライト装置ＦＬは、銃等に取り付けて利用する。
【図面の簡単な説明】
【００３２】
【図１】この発明の実施形態である銃等に取り付けられるフラッシュライト装置の斜視図
【図２】同じく後蓋（蓋体）を開いた状態でバッテリーの出し入れを示す斜視図
【図３】同じくこの発明の実施形態のフラッシュライト装置を銃等に取り付けた状態の正面図
【図４】同じくフラッシュライト装置のスイッチユニットの組み立て図であり水平横断面図
【図５】同じくフラッシュライト装置のスイッチユニットの分解図であり水平横断面図
【図６】図１のＡＡ線断面でありフラッシュライト装置の一時点灯スイッチであるプッシュスイッチのＯＦＦ状態の説明図
【図７】図１のＡＡ線断面でありフラッシュライト装置の一時点灯スイッチであるプッシュスイッチの作動説明図
【図８】図７の一部拡大図であり左側のプッシュスイッチがＯＮ状態を示す。
【図９】同じくフラッシュライト装置の持続点灯スイッチであるスライドスイッチの作動の説明図であり、左右両方のスライドスイッチがＯＦＦ状態のフラッシュライト装置の後面図
【図１０】図９のＢＢ線断面である一部拡大断面図
【図１１】図９のＣＣ線断面であるフラッシュライト装置の縦断面図
【図１２】同じくフラッシュライト装置の持続点灯スイッチであるスライドスイッチの作動の説明図であり、右側のスライドスイッチがＯＮ状態のフラッシュライト装置の後面図
【図１３】図１２のＤＤ線断面である一部拡大断面図
【図１４】図１２のＥＥ線断面であるフラッシュライト装置の縦断面図
【図１５】同じくフラッシュライト装置の後蓋の前面図
【図１６】図１５のＦＦ線断面図
【図１７】同じくフラッシュライト装置の後蓋の後面図
【図１８】同じく左スライドスイッチの平面図
【図１９】同じく左スライドスイッチの前面図
【図２０】同じく左側ガイドプレートの前面図
【図２１】同じく左側ガイドプレートの後面図
【図２２】同じくスイッチングバーの前面図
【図２３】同じくスイッチングバーの後面図
【図２４】図２２のＧＧ線断面図
【図２５】同じくメインスイッチの後面図
【図２６】同じくメインスイッチの側面図
【図２７】フラッシュライト装置の回路模式図
【図２８】同じく回路図
【符号の説明】
【００３３】
ＦＬ  フラッシュライト装置
ＡＧ  エアガン
ＳＵ  スイッチユニット
１  本体
２  ライト部
３  後蓋
３ａ  左右分離突起
３ｂ  第２左プッシュスイッチ貫通孔
３ｃ  第２右プッシュスイッチ貫通孔
３ｄ  左スライドスイッチ固定ネジボス用孔
３ｅ  右スライドスイッチ固定ネジボス用孔
３ｈ  スライド用ガイド突起
３ｘ  段差部
３ｙ  斜面部
４  左プッシュスイッチ
４ａ  押圧面
４ｂ  固定凹部
５  右プッシュスイッチ
５ａ  押圧面
５ｂ  固定凹部
６  左スライドスイッチ
６ａ  第１左プッシュスイッチ貫通孔
６ｂ  スライドスイッチ固定ネジボス
６ｃ  スライド用溝
７  右スライドスイッチ
７ａ  第１右プッシュスイッチ貫通孔
７ｂ  スライドスイッチ固定ネジボス
８  発光体
９  バッテリー
１０  メインスイッチ
１０ａ  被押圧部
１０ｂ  板状体
１１  メインスイッチボード
１２  スイッチングバー
１２ａ  凸部
１２ｂ  左係止孔
１２ｃ  右係止孔
１２ｄ  スイッチングバー斜面部
１３  左スイッチキャップ
１３ａ  凹部
１３ｂ  凸部
１４  右スイッチキャップ
１４ａ  凹部
１４ｂ  凸部
１５  左ガイドプレート
１５ａ  第３左プッシュスイッチ貫通孔
１５ｂ  左スライドスイッチ固定ネジ孔
１６  右ガイドプレート
１６ａ  第３右プッシュスイッチ貫通孔
１６ｂ  右スライドスイッチ固定ネジ孔
１７  左リターンスプリング
１８  右リターンスプリング
１９  左プッシュスイッチ固定ネジ
２０  右プッシュスイッチ固定ネジ
２１  左スライドスイッチ固定ネジ
２２  右スライドスイッチ固定ネジ
２３  バッテリーとフラッシュライトの接点
２４  バッテリーとフラッシュライトの接点
２５  コイル状接点
２６  コイル状接点  
２７  後蓋固定ネジ
２８  後蓋開閉軸
２９  取付部
３０  固定孔
【図１】
2007299685.tif 000003
【図２】
2007299685.tif 000004
【図３】
2007299685.tif 000005
【図４】
2007299685.tif 000006
【図５】
2007299685.tif 000007
【図６】
2007299685.tif 000008
【図７】
2007299685.tif 000009
【図８】
2007299685.tif 000010
【図９】
2007299685.tif 000011
【図１０】
2007299685.tif 000012
【図１１】
2007299685.tif 000013
【図１２】
2007299685.tif 000014
【図１３】
2007299685.tif 000015
【図１４】
2007299685.tif 000016
【図１５】
2007299685.tif 000017
【図１６】
2007299685.tif 000018
【図１７】
2007299685.tif 000019
【図１８】
2007299685.tif 000020
【図１９】
2007299685.tif 000021
【図２０】
2007299685.tif 000022
【図２１】
2007299685.tif 000023
【図２２】
2007299685.tif 000024
【図２３】
2007299685.tif 000025
【図２４】
2007299685.tif 000026
【図２５】
2007299685.tif 000027
【図２６】
2007299685.tif 000028
【図２７】
2007299685.tif 000029
【図２８】
2007299685.tif 000030